(57)【要約】 【課題】  大型画面を具現するのに適合するシャーシフレームを提供する。【解決手段】  シャーシフレームは二つ以上のシャーシ部材１１０，１２０，１３０，１４０で構成され、シャーシ部材の相互結合によってフレーム形状に形成される。相互結合されるシャーシ部材のうち、一つのシャーシ部材は結合位置を規制するために一面から突出した位置規制突起を有する第１結合部を含み、それと対応する他の一つのシャーシ部材は位置規制突起の挿入によって結合位置を規制するための位置規制ホールを有する第２結合部を含む。したがって、原価節減及び生産性の向上を可能にすることができ、組み立ての品質を向上させることができる。【選択図】    図１
2005196210.tif 000002
【特許請求の範囲】
【請求項１】
一端部から延び、結合位置を提供するために一面から突出した一つ以上の位置規制突起を有する第１結合部を具備する第１シャーシ部材と、
前記位置規制突起の挿入のための一つ以上の位置規制ホールを有する第２結合部を具備し、前記第１結合部と前記第２結合部の結合によって前記第１シャーシ部材と結合される第２シャーシ部材と、を含むことを特徴とするシャーシフレーム。
【請求項２】
前記位置規制突起は、互いに同じ形状を有する第１突起、第２突起、及び第３突起を含むことを特徴とする請求項１記載のシャーシフレーム。
【請求項３】
前記位置規制ホールは、前記第１突起、第２突起、及び第３突起が各々挿入される第１ホール、第２ホール、及び第３ホールを含むことを特徴とする請求項２記載のシャーシフレーム。
【請求項４】
前記第１突起、第２突起及び第３突起は、前記一面と平行に切った断面が円形状であることを特徴とする請求項３記載のシャーシフレーム。
【請求項５】
前記第１ホールは、前記第１突起と同じ円形状を有することを特徴とする請求項４記載のシャーシフレーム。
【請求項６】
前記第２ホールは、第１方向を長軸とする楕円形状であり、
前記第３ホールは、前記第１方向に垂直な第２方向を長軸とする楕円形状であることを特徴とする請求項５記載のシャーシフレーム。
【請求項７】
前記第１結合部は、前記第２結合部とのねじ締結のための一つ以上のねじ孔を更に含むことを特徴とする請求項１記載のシャーシフレーム。
【請求項８】
前記第２結合部は、前記第１結合部とのねじ締結のために前記ねじ孔と対応して形成される一つ以上の貫通孔を更に含むことを特徴とする請求項７記載のシャーシフレーム。
【請求項９】
前記第１結合部と前記第２結合部は、電気溶接によって結合されることを特徴とする請求項１記載のシャーシフレーム。
【請求項１０】
前記第１シャーシ部材は、前記一端部に形成され、全体の厚さから第１厚さが除去された第１凹陥部を更に含み、
前記第２シャーシ部材は、前記第１シャーシ部材と連結される一端部から延びて前記第１凹陥部と結合され、前記第１厚さを有する第１突出部を更に含むことを特徴とする請求項１記載のシャーシフレーム。
【請求項１１】
一端部に形成され、第１位置規制突起を有する第１結合部及び他端部に形成され、第２位置規制突起を有する第２結合部を具備する第１シャーシ部材と、
前記第１シャーシ部材と平行に配置され、一端部に形成されて第３位置規制突起を有する第３結合部及び他端部に形成され、第４位置規制突起を有する第４結合部を具備する第２シャーシ部材と、
前記第１位置規制突起が挿入される第１位置規制ホールを有する第５結合部及び前記第３位置規制突起が挿入される第２位置規制ホールを有する第６結合部を具備する第３シャーシ部材と、
前記第２位置規制突起が挿入される第３位置規制ホールを有する第７結合部及び前記第４位置規制突起が挿入される第４位置規制ホールを有する第８結合部を具備する第４シャーシ部材と、を含むことを特徴とするシャーシフレーム。
【請求項１２】
前記第３シャーシ部材は、前記第１シャーシ部材と垂直な第１本体部、前記第１本体部の一端部から垂直に延び、前記第５結合部が形成される第２本体部及び前記第１本体部の他端部から前記第２本体部と平行に延び前記第６結合部が形成される第３本体部を含み、
前記第４シャーシ部材は、前記第１本体部と向い合う第４本体部、前記第４本体部の一端から垂直に延び、前記第７結合部が形成される第５本体部及び前記第４本体部の他端部から前記第５本体部と平行に延び、前記第８結合部が形成される第６本体部を含むことを特徴とする請求項１１記載のシャーシフレーム。
【請求項１３】
前記第１位置規制ホール、第２位置規制ホール、第３位置規制ホール及び第４位置規制ホールは、前記第１シャーシ部材の長手方向を長軸とする楕円形状の第１ホールを各々更に含むことを特徴とする請求項１２記載のシャーシフレーム。
【請求項１４】
前記第１位置規制ホール、第２位置規制ホール、第３位置規制ホール及び第４位置規制ホールは、前記第１シャーシ部材の長手方向に垂直な方向に長軸を有する楕円形状の第２ホールを更に含むことを特徴とする請求項１３記載のシャーシフレーム。
【請求項１５】
前記第１結合部、第２結合部、第３結合部及び第４結合部は、ねじ締結のための一つ以上の貫通孔を更に含むことを特徴とする請求項１２記載のシャーシフレーム。
【請求項１６】
前記第５結合部、第６結合部、第７結合部及び第８結合部は、ねじ締結のために前記貫通孔と対応して形成される一つ以上のねじ孔を更に含むことを特徴とする請求項１５記載のシャーシフレーム。
【請求項１７】
光を供給するバックライトアセンブリーと、
前記バックライトアセンブリーから提供された光を用いて画像を表示する液晶表示パネルと、
二つ以上のシャーシ部材で構成され、前記シャーシ部材の相互結合によってフレーム形状に形成され、前記液晶表示パネルを前記バックライトアセンブリーに固定するシャーシフレームを含み、
相互結合される前記シャーシ部材のうち、一つのシャーシ部材には結合位置を提供するための位置規制突起が形成され、他の一つのシャーシ部材には、前記位置規制突起が挿入される位置規制ホールが形成されることを特徴とする液晶表示装置。
【請求項１８】
前記位置規制ホールは、第１方向を長軸とする楕円形状の第１ホールを含むことを特徴とする請求項１７記載の液晶表示装置。
【請求項１９】
前記位置規制ホールは、前記第１方向と垂直な第２方向を長軸とする楕円形状の第２ホールを更に含むことを特徴とする請求項１８記載の液晶表示装置。
【請求項２０】
相互結合される前記シャーシ部材のうち、一つのシャーシ部材には、ねじ締結のためのねじ孔が形成され、他の一つのシャーシ部材には前記ねじ孔と対応して貫通孔が形成されることを特徴とする請求項１７記載の液晶表示装置。
【請求項２１】
前記バックライトアセンブリーは、
光を発生するランプと、
前記ランプから発生した光の経路を変更して前記液晶表示パネルの方向に出射する光学部材と、
前記ランプ及び光学部材を収納する収納容器と、を含むことを特徴とする請求項１７記載の液晶表示装置。
【発明の詳細な説明】
【技術分野】
【０００１】
本発明は、シャーシフレーム及びこれを有する液晶表示装置に係わり、より詳細には大型化に適合するシャーシフレーム及びこれを有する液晶表示装置に関する。
【背景技術】
【０００２】
最近、情報処理装置の技術開発と共に、情報処理装置で処理されたデータを使用者が認識できるようにインタフェーシング（ｉｎｔｅｒｆａｃｉｎｇ）するディスプレイ装置の技術も共に発展しつつある。
【０００３】
このようなディスプレイ装置の中で、液晶表示装置は、液晶を用いて画像を表示する平板表示装置の一つとして、他のディスプレイ装置に比べて薄くて軽く、低い消費電力及び駆動電圧を有する長所があって、産業全般にかけて広範囲に用いられている。
【０００４】
一般的に、液晶表示装置は画像を表示するためのディスプレイユニット、前記ディスプレイユニットに光を供給するためのバックライトアセンブリー及び前記ディスプレイユニットを前記バックライトアセンブリーに固定するためのトップシャーシを含む。尚、ここで「シャーシ」の用語は主たるフレームを意味する。
【０００５】
ディスプレイユニットは、画像を表示する液晶表示パネルを含む。液晶表示パネルは、マトリクス形態に形成された複数の画素電極及び薄膜トランジスタ（ＴＦＴ）を有するＴＦＴ基板、ＴＦＴ基板と向い合って共通電極及びカラーフィルターを有するカラーフィルター基板及びＴＦＴ基板とカラーフィルター基板との間に配置された液晶を含む。
【０００６】
バックライトアセンブリーは、光を発生するランプ、ランプから発生した光の経路を前記液晶表示パネルの方向に変更して出射する光学部材、及び前記ランプと光学部材を収納する収納容器を含む。このような構成を有するバックライトアセンブリーはランプの実装位置によってエッジ型と直下型に区分される。
【０００７】
トップシャーシは、液晶表示パネルをバックライトアセンブリーに固定させる役割を果たす。トップシャーシはステインレススティールなどの強度が高い金属を用いて製作され、トップシャーシの上部面は、液晶表示パネルの周辺部を押圧し、トップシャーシの側壁は、収納容器の側壁と結合されて液晶表示パネルがバックライトアセンブリーから分離されることを防止する。このようなトップシャーシは、主に軟性及び加工性が豊かな金属板をプレス加工する方式で製作される。
【０００８】
最近、液晶表示装置のサイズが次第に大型化することによって、液晶表示装置及びトップシャーシのサイズもまた増加している。しかし、このようなトップシャーシのサイズ増加によって、一つのトップシャーシの製造のために使用される母材料の量が増加し、原価上昇による生産性が低下する問題点がある。また、大型サイズのトップシャーシを一つのフレームとして製作する場合、トップシャーシのねじれによって組み立て品質が低下する問題がある。
【発明の開示】
【発明が解決しようとする課題】
【０００９】
したがって、本発明はこのような従来の問題点を勘案したものであって、本発明の目的は、原価節減及び生産性向上を可能とし、組み立て品質を向上することができるシャーシフレームを提供することにある。
また、本発明の他の目的は、前記のシャーシフレームを有する液晶表示装置を提供することにある。
【課題を解決するための手段】
【００１０】
前述した本発明の目的を達成するためのシャーシフレームは、第１結合部を具備する第１シャーシ部材及び前記第１結合部と結合される第２結合部を具備する第２シャーシ部材を含む。
【００１１】
前記第１結合部は一端部から延び、結合位置を提供するために一面から突出する一つ以上の位置規制突起を含む。
前記第２結合部は、前記位置規制突起の挿入のための一つ以上の位置規制ホールを含む。
【００１２】
したがって、前記位置規制突起及び位置規制ホールの結合によって、前記第１シャーシ部材及び第２シャーシ部材の結合位置が固定される。
また、前述した本発明の目的を達成するためのシャーシフレームは、第１シャーシ部材、第２シャーシ部材、第３シャーシ部材、及び第４シャーシ部材を含む。
【００１３】
前記第１シャーシ部材は、一端部に形成され、第１位置規制突起を有する第１結合部及び他端部に形成され、第２位置規制突起を有する第２結合部を具備する。
【００１４】
前記第２シャーシ部材は、前記第１シャーシ部材と平行に配置され、一端部に形成されて第３位置規制突起を有する第３結合部及び他端部に形成され、第４位置規制突起を有する第４結合部を具備する。
【００１５】
前記第３シャーシ部材は、前記第１位置規制突起が挿入される第１位置規制ホールを有する第５結合部及び前記第３位置規制突起が挿入される第２位置規制ホールを有する第６結合部を具備する。
【００１６】
前記第４シャーシ部材は、前記第２位置規制突起が挿入される第３位置規制ホールを有する第７結合部及び前記第４位置規制突起が挿入される第４位置規制ホールを有する第８結合部を具備する。
【００１７】
また、前述した本発明の他の目的を達成するための液晶表示装置は、バックライトアセンブリー、液晶表示パネル及びシャーシフレームを含む。
前記バックライトアセンブリーは、光を発生させて前記液晶パネルに供給する。
前記液晶表示パネルは、前記バックライトアセンブリーから供給された光を用いて画像を表示する。
【００１８】
前記シャーシフレームは、二つ以上のシャーシ部材で構成され、前記シャーシ部材の相互結合によってフレーム形状に形成され、前記液晶表示パネルを前記バックライトアセンブリーに固定する。ここで、相互結合される前記シャーシ部材のうち、いずれか一つのシャーシ部材には結合位置を提供するための位置規制突起が形成され、残りの一つのシャーシ部材には前記位置規制突起が挿入される位置規制ホールが形成される。
【００１９】
本発明で、シャーシフレームは、液晶表示パネルをバックライトアセンブリーに固定するためのトップシャーシである。
このようなシャーシフレーム及びこれを有する液晶表示装置によると、二つ以上のシャーシ部材を相互結合してフレーム形状に製作することで、液晶表示装置の生産性及び組み立て品質を向上することができる。
【発明を実施するための最良の形態】
【００２０】
以下、添付した図面を参照して、本発明の望ましい実施例をより詳細に説明する。
図１は、本発明の一実施例によるシャーシフレームを示した分解斜視図である。
図１を参照すると、本発明の一実施例によるシャーシフレーム１００は、第１シャーシ部材１１０、第２シャーシ部材１２０、第３シャーシ部材１３０、及び第４シャーシ部材１４０を含む。
【００２１】
第１シャーシ部材１１０は、一端部から延びるよう形成される第１結合部１１１及び他端部から延びるよう形成される第２結合部１１２を含む。第１結合部１１１は、結合位置を提供するために上側に突出した第１位置規制突起手段１１３を含み、第２結合部１１２は第１位置規制突起手段１１３と同じ構造の第２位置規制突起手段１１４を含む。
【００２２】
第２シャーシ部材１２０は、第１シャーシ部材１１０と平行に配置され、一端部から延びるよう形成される第３結合部１２１及び他端部から延びるよう形成される第４結合部１２２を含む。第３結合部１２１及び第４結合部１２２は、第１位置規制突起手段１１３と同じ構造の第３突起手段１２３及び第４位置規制突起手段１２４を各々含む。
【００２３】
第３シャーシ部材１３０は、第１本体部１３１、第２本体部１３２、及び第３本体部１３３で構成される。第１本体部１３１は、第１シャーシ部材１１０及び第２シャーシ部材１２０の長手方向と垂直に配置される。第２本体部１３２は、第１本体部１３１の一端部から垂直に延び、第１シャーシ部材１１０の一端部と連結され、第１結合部１１１との結合のための第５結合部１３４を含む。第３本体部１３３は、第１本体部１３１の他端部から垂直に延びて第２シャーシ部材１２０の一端部と連結され、第３結合部１２１との結合のための第６結合部１３５を含む。第５結合部１３４は、第１位置規制突起手段１１３の挿入を通じて結合位置を提供するための第１位置規制ホール手段１３６を含み、第６結合部１３５は、第３位置規制突起手段１２３が挿入される第２位置規制ホール手段１３７を含む。
【００２４】
第４シャーシ部材１４０は、第４本体部１４１、第５本体部１４２、及び第６本体部１４３で構成される。第４本体部１４１は、第１本体部１３１と向い合うように第１シャーシ部材１１０及び第２シャーシ部材１２０の長手方向と垂直に配置される。第５本体部１４２は、第４本体部１４１の一端部から垂直に延び、第１シャーシ部材１１０の他端部に連結され、第２結合部１１２との結合のための第７結合部１４４を含む。第６本体部１４３は、第４本体部１４１の他端部から第５本体部１４２と同じ方向に延びて第２シャーシ部材１２０の他端部と連結され、第４結合部１２２との結合のための第８結合部１４５を含む。第７結合部１４４は、第２位置規制突起手段１１４の挿入を通じて結合位置を提供するための第３位置規制ホール手段１４６を含み、第８結合部１４５は、第４位置規制突起１２４手段が挿入される第４位置規制ホール手段１４７を含む。
【００２５】
したがって、本発明の一実施例によるシャーシフレーム１００は、第１シャーシ部材１１０、第２シャーシ部材１２０、第３シャーシ部材１３０、及び第４シャーシ部材１４０の相互結合によってフレーム形状を有する。
【００２６】
図２は、図１のＡ部分を拡大した拡大図であり、図３は、図２に示した第１結合部と第５結合部の結合関係を示した平面図である。
図２及び図３を参照すると、第１シャーシ部材１１０と第３シャーシ部材は、第１結合部１１１と第５結合部１３４の結合によって結合される。
【００２７】
第１結合部１１１は、第１位置規制突起手段１１３を含み、第１位置規制突起手段１１３は、第１突起１１３ａ、第２突起１１３ｂ、及び第３突起１１３ｃで構成される。第１突起１１３ａ、第２突起１１３ｂ、及び第３突起１１３ｃは、互いに同じ形状を有し、望ましくは、水平方向に切った断面が円形状を有するように形成される。
【００２８】
第５結合部１３４は、第１位置規制ホール手段１３６を含み、第１位置規制ホール手段１３６は第１ホール１３６ａ、第２ホール１３６ｂ、及び第３ホール１３６ｃで構成される。第１ホール１３６ａ、第２ホール１３６ｂ、及び第３ホール１３６ｃには各々第１突起１１３ａ、第２突起１１３ｂ、及び第３突起１１３ｃが挿入される。
【００２９】
第１ホール１３６ａは、第１突起１１３ａと同じ円形状に形成される。第１ホール１３６ａは第１突起１１３ａの直径より少し大きい直径を有するように形成され、第１突起１１３ａの挿入の後、水平面内における上下左右方向の流動を防止する。
【００３０】
第２ホール１３６ｂは、第１シャーシ部材１１０の長手方向と垂直な第１方向を長軸とする楕円形状に形成される。第２ホール１３６ｂは、挿入される第２突起１１３ｂの左右方向（図２で見て）の移動を防止して、第１シャーシ部材１１０の長手方向と平行な第２方向（図３参照）の結合位置を規制する。
【００３１】
第３ホール１３６ｃは、第１シャーシ部材１１０の長手方向と平行な方向である前述の第２方向を長軸とする楕円形状に形成される。第３ホール１３６ｃは、挿入される第３突起１１３ｃの上下方向（図２で見て）の移動を防止して、第１方向の結合位置を規制する。
【００３２】
このような第１ホール１３６ａ、第２ホール１３６ｂ、及び第３ホール１３６ｃは、第１突起１１３ａ、第２突起１１３ｂ、及び第３突起１１３ｃとの結合によって第１シャーシ部材１１０の結合位置を規制する。
一方、第１ホール１３６ａ、第２ホール１３６ｂ、及び第３ホール１３６ｃのうち、少なくとも一つは除去することができ、これに対応して第１突起１１３ａ、第２突起１１３ｂ、及び第３突起１１３ｃのうち、少なくとも一つは除去することができる。
【００３３】
また、本実施例で、第１突起１１３ａ、第２突起１１３ｂ、及び第３突起１１３ｃは円形状を有するが、これに限らず第１突起１１３ａ、第２突起１１３ｂ、及び第３突起１１３ｃは四角形状断面を有することもでき、これに対応して第１ホール１３６ａ、第２ホール１３６ｂ、及び第３ホール１３６ｃまた四角形状で形成することができる。
【００３４】
一方、第１結合部１１１は、第５結合部１３４とのねじ締結のための一つ以上の第１ねじ孔１１５を更に含み、第５結合部１３４は第１結合部１１１とのねじ締結のために第１ねじ孔１１５と対応して形成される一つ以上の第１貫通孔１３８を更に含む。
【００３５】
したがって、第１シャーシ部材１１０及び第３シャーシ部材１３０は、第１突起１１３ａ、第２突起１１３ｂ、及び第３突起１１３ｃと第１ホール１３６ａ、第２ホール１３６ｂ、及び第３ホール１３６ｃとの結合によって結合位置を固定した後、第１ねじ孔１１５と第１貫通孔１３８とを利用したねじ締結によって結合される。
【００３６】
一方、第１結合部１１１及び第５結合部１３４は、ねじ締結による結合に限らず、スポット溶接などの電気溶接によって結合することもできる。
図４は、図２に示した第１シャーシ部材及び第３シャーシ部材を異なる角度から見た斜視図であり、図５は、図４に示した第１シャーシ部材及び第３シャーシ部材の結合された断面を示した断面図である。
【００３７】
図４及び図５を参照すると、第１シャーシ部材１１０は第１結合部１１１が形成された一端部に形成される第１凹陥部１１６を更に含む。第１凹陥部１１６は第１シャーシ部材１１０の全体厚さｔ０のうち、第１厚さｔ１が除去された状態に形成される。
【００３８】
第３シャーシ部材１３０は、第５結合部１３４が形成された一端部に形成される第１突出部１３９を更に含む。第１突出部１３９は、前記第１厚さｔ１と同じ厚さを有し、第１凹陥部１１６の凹陥長さだけ突出する。
【００３９】
第１凹陥部１１６及び第１突出部１３９は、互いに接する面が所定角度に傾くように形成することもできる。
このような第１凹陥部１１６と第１突出部１３９の結合によって、外部からの加圧時、第１突出部１３９は衝撃を吸収する役割を果たすことができ、結合部位から発生する可能性がある光漏れ現象を防止するこができる。
【００４０】
図６は、図２に示した第１シャーシ部材及び第３シャーシ部材の他の結合関係を示した斜視図である。
図６を参照すると、第１シャーシ部材１１０は、上面に形成される第１結合部１１１及び側面に形成される第９結合部２１１を含み、第３シャーシ部材１３０は上面に形成される第５結合部１３４及び側面に形成される第１０結合部２３４を含む。第１結合部１１１及び第５結合部１３４は図２に示した構造と同じであるので重複する説明は省略する。
【００４１】
第９結合部２１１は、第１０結合部２３４とのねじ結合のためのひとつ以上の第２貫通孔２１２を含む。第１０結合部２３４は、第９結合部２１１とのねじ締結のために第２貫通孔２１２と対応して形成される第２ねじ孔２３５を含む。
一方、図示していないが、第１０結合部２３４は第９結合部２１１との結合位置を提供するあるいは規制するための位置規制突起を更に含むことができ、第９結合部２１１は前記位置規制突起の挿入のための位置規制ホールを更に含むことができる。
【００４２】
したがって、第１シャーシ部材１１０及び第３シャーシ部材１３０は、上面に各々形成された第１結合部１１１及び第５結合部１３４の結合と側面に各々形成された第９結合部２１２及び第１０結合部２３４の結合によって締結力を更に向上することができる。
【００４３】
以上、図２乃至図６を参照して第１シャーシ部材１１０及び第３シャーシ部材１３０の結合構造を説明した。尚、第１シャーシ部材１１０及び第４シャーシ部材１４０の結合構造、第２シャーシ部材１２０及び第３シャーシ部材１３０の結合構造、及び第２シャーシ部材１２０及び第４シャーシ部材１４０の結合構造は前述した第１シャーシ部材１１０及び第３シャーシ部材１３０の結合構造と同じであるので、重複した説明は省略する。
【００４４】
このように、本発明の一実施例によるシャーシフレーム１００は、四つのシャーシ部材によって製作される。したがって、一つの母材料から四つ以上のシャーシ部材を生産することができ、母材料の損失を減少させて製造原価を低下させ、生産性を向上させることができる。
【００４５】
図７は、発明の他の実施例によるシャーシフレームを示した斜視図である。
図７を参照すると、本発明の他の実施例によるシャーシフレーム３００は、第１シャーシ部材３１０及び第２シャーシ部材３２０を含む。
【００４６】
第１シャーシ部材３１０は、第１本体部３１１、第２本体部３１２、及び第３本体部３１３で構成される。第２本体部３１２は、第１本体部３１１の一端から垂直に延び、第３本体部３１３は第１本体部３１１の他端部から第２本体部３１２と平行に延びる。本実施例で、第２本体部３１２は第３本体部３１３より長く延びているが、第２本体部３１２と第３本体部３１３は同じ長さに延ばすこともできる。
【００４７】
第２本体部３１２は、第１結合部３１４を含む。第１結合部３１４は第２シャーシ部材３２０との結合位置を規制するための第１位置規制突起手段３１６を含み、図２及び図３に示した第１結合部１１１と同じ構造を有する。
【００４８】
第３本体部３１３は、第２結合部３１５を含む。第２結合部３１５は第２シャーシ部材２３０との結合位置を規制するための第１位置規制ホール手段３１７を含み、図２及び図３に示した第５結合部１３４と同じ構造を有する。
【００４９】
第２シャーシ部材３２０は、第４本体部３２１、第５本体部３２２、及び第６本体部３２３で構成される。第４本体部３２１は、第１本体部３１１と向い合うように配置される。第５本体部３２２は第４本体部３２１の一端部から垂直に延び、第３本体部３１３と連結され、第６本体部３２３は第４本体部３２１の他端部から第５本体部３２２と平行に延びて第２本体部３１２と結合される。本実施例で、第５本体部３２２は第６本体部３２３より長く延びるが、第５本体部３２２と第６本体部２３２は同じ長さに延ばすこともできる。
【００５０】
第５本体部３２２は、第２結合部３１５と結合される第３結合部３２４を含む。第３結合部３２４は第３本体部３１３との結合位置を規制するために第１位置規制ホール手段３１７に挿入される第２位置規制突起手段３２６を含み、第１結合部３１４と同じ構造を有する。
【００５１】
第６本体部３２３は、第１結合部３１４と結合される第４結合部３２５を含む。第４結合部３２５は、第２本体部３１２との結合位置を規制するために第１位置規制突起手段３１６が挿入される第２位置規制ホール手段３２７を含み、第２結合部３１５と同じ構造を有する。
【００５２】
図８は、本発明の一実施例による液晶表示装置を示した分解斜視図である。
図８を参照すると、本発明の一実施例による液晶表示装置１０００はバックライトアセンブリー４００、ディスプレイユニット５００及びシャーシフレーム６００を含む。
【００５３】
シャーシフレーム６００は、図１又は図７に示したシャーシフレーム１００、３００と同じ構造を有する。即ち、シャーシフレーム６００は二つ以上のシャーシ部材で構成され、前記シャーシ部材の相互結合によってフレーム形状に形成される。ここで、相互結合される前記シャーシ部材のうち、一つのシャーシ部材には結合位置を規制するための一つ以上の位置規制突起が形成され、残りの一つの部材には前記位置規制突起が挿入される一つ以上の位置規制ホールが形成される。より詳細な説明は、既に図１乃至図７を参照して説明したので、省略する。
【００５４】
バックライトアセンブリー４００は、光を供給するランプユニット４１０、ランプユニット４１０から供給された光の経路を変更して一方向に出射させる光学部材４２０及びランプユニット４１０と光学部材４２０を収納する収納容器４３０を含む。
【００５５】
ランプユニット４１０は、光を発生する少なくとも一つのランプ４１２及びランプ４１２を保護してランプ４１２から発生した光を導光板４２２に向け反射させるためのランプ反射板４１４で構成される。ランプユニット４１０は、要求される輝度によって導光板４２２の一側又は互いに向い合う両側面に配置される。
【００５６】
ランプ４１２は、棒形状を有する冷陰極線管ランプ（ＣＣＦＬ）で構成され、ランプ反射板４１４は、反射率が高い材質から作られ、あるいはランプ４１２をカバーするカバー面に反射部材がコーティングされた構造を有し、ランプ４１２から発生した光を導光板４２２側に反射させて光の利用効率を向上させる。
【００５７】
光学部材４２０は、導光板４２２、反射シート４２４及び光学シート４２６を含む。
導光板４２２は、側面に配置されたランプユニット４１０から入射した光の経路を変更して出射させる。即ち、ランプユニット４１０から導光板４２２内部に入射した光のうち、特定臨界角を超える光は導光板４２２の上面又は下面を通じて出射され、特定臨界角を超えない光は導光板４２２の内部に反射される。したがって、導光板４２２に入射された光を上面方向に出射させるために導光板４２２の下面には反射パターン（図示せず）が形成される。
【００５８】
反射シート４２４は、導光板４２２の下面に配置され、導光板４２２の下面を通じて漏洩する光を反射させて再び導光板４２２の内部に入射させる。このため、反射シート４２４は光を反射させるための反射物質で形成されたり、ベースフィルム上に反射物質をコーティングする方式によって形成される。
【００５９】
光学シート４２６は、導光板４２２の上面に配置され、導光板４２２の上面を通じて出射される光の輝度特性を向上させる役割を果たす。光学シート４２６は導光板４２２の上面を通じて出射される光の輝度均一性を向上させるための拡散シート及び正面輝度を向上させるためのプリズムシートなどを含むことができる。ここで、光学シート４２６は要求される輝度特性によって、前記拡散シート又は前記プリズムシートの追加又は除去が可能である。
【００６０】
収納容器４３０は、底面及び前記底面のエッジから垂直に延び、収納空間を形成する側部で構成される。収納容器４３０の収納空間にはランプユニット４１０及び光学部材４２０が順次実装される。
【００６１】
バックライトアセンブリー４００は、光学シート４２６の上部に配置される固定部材４４０を更に含むことができる。固定部材４４０は、収納容器４３０と結合され、収納容器４３０に実装された光学部材４２０を固定させる。固定部材４４０は、プラスチック又はシャーシと同じ材質で形成され、シャーシフレーム６００と同様に、複数の部材の相互結合によって形成することもできる。
【００６２】
本実施例で、バックライトアセンブリー４００は、ランプ４１２が導光板４２２の側面に配置されるエッジタイプを一例として説明したが、複数のランプ４１２が収納容器４３０の底面に平行に配置される直下タイプを用いることもできる。
【００６３】
固定部材４４０の上部にはディスプレイユニット５００が実装される。ディスプレイユニット５００は画像を表示する液晶表示パネル５１０、データ印刷回路基板５２０、ゲート印刷回路基板５３０、データテープキャリアパッケージ（ＴＣＰ）５４０、及びゲートＴＣＰ５５０を含む。
【００６４】
液晶表示パネル５１０は、ＴＦＴ基板５１２、カラーフィルター基板５１４と前記二枚の基板５１２、５１４との間に介在する液晶を含む。
ＴＦＴ基板５１２は、スイッチング素子であるＴＦＴ（図示せず）がマトリクス形態に形成されている透明なガラス基板である。前記ＴＦＴのソース端子にはデータラインが連結され、ゲート端子にはゲートラインが連結される。また、ドレイン端子には透明な導電性材質であるインジウムスズ酸化物（ＩＴＯ）からなる画素電極が連結される。
【００６５】
カラーフィルター基板５１４は、ＴＦＴ基板５１２から一定間隔に離隔されて対向配置される。カラーフィルター基板５１４は、光が通過すると、所定の色に発現される色画素であるＲＧＢ画素が薄膜工程によって形成された基板である。カラーフィルター基板５１４の全面には、ＩＴＯからなる共通電極が形成される。
【００６６】
このような構成を有する液晶表示パネル５１０は、前記ＴＦＴのゲート端子及びソース端子に電圧が印加され、ＴＦＴがターンオンされると、画素電極と共通電極との間には電界が形成される。このような電界によってＴＦＴ基板５１２とカラーフィルター基板５１４との間に注入された液晶の配列角が変化し、変化された配列角によって光透過度が変更された希望する諧調の画像を得ることができる。
【００６７】
データ印刷回路基板５２０は、データＴＣＰ５４０を通じてＴＦＴ基板５１２の一側に連結される。ＴＦＴ基板５１２に形成されたデータラインを駆動するためにデータ駆動信号は、データ印刷回路基板５２０及びデータＴＣＰ５４０を通してデータラインに印加される。
【００６８】
ゲート印刷回路基板５３０は、ゲートＴＣＰ５５０を通じてＴＦＴ基板５１２の前述の一側とは垂直な他側に連結される。ＴＦＴ基板５１２に形成されたゲートラインにを制御するためのゲート駆動信号はゲート印刷回路基板５３０及びゲートＴＣＰ５５０を通じてゲートラインに印加される。
【００６９】
図８で、ディスプレイユニット５００は、データ印刷回路基板５２０とゲート印刷回路基板５３０を別途に含むが、データ印刷回路基板５２０とゲート印刷回路基板５３０の機能を一つに統合した統合印刷回路基板（図示せず）を用いることで、ゲート印刷回路基板５３０を除去することもできる。
【００７０】
固定部材４４０の上部に実装されたディスプレイユニット５００は、シャーシフレーム６００と収納容器４３０の結合によって固定される。
【産業上の利用可能性】
【００７１】
このようなシャーシフレーム及びこれを有する液晶表示装置によると、液晶表示パネルを固定するためのシャーシフレームは二つ以上のシャーシ部材の相互結合によってフレーム形状に形成されることによって、原価節減及び生産性の向上を可能にすることができる。
【００７２】
また、相互結合されるシャーシ部材のうち、一つのシャーシ部材には位置規制突起が形成され、残りの一つの部材には位置規制突起の挿入を通じて結合位置を規制するための位置規制ホールが形成されることによって、シャーシフレームの組み立ての信頼性を向上することができる。
【００７３】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００７４】
【図１】本発明の一実施例によるシャーシフレームを示した分解斜視図である。
【図２】図１のＡ部分を拡大した拡大図である。
【図３】図２に示した第１結合部と第５結合部の結合関係を示した平面図である。
【図４】図２に示した第１シャーシ部材及び第３シャーシ部材を異なる角度から見た斜視図である。
【図５】図４に示した第１シャーシ部材及び第３シャーシ部材の結合部分の断面を示した断面図である。
【図６】図２に示した第１シャーシ部材及び第３シャーシ部材の他の結合形態を示した斜視図である。
【図７】本発明の他の実施例によるシャーシフレームを示した斜視図である。
【図８】本発明の一実施例による液晶表示装置を示した分解斜視図である。
【符号の説明】
【００７５】
１００、３００、６００    シャーシフレーム
１１０、３１０    第１シャーシ部材
１１１、３１４    第１結合部
１１２、３１５    第２結合部
１１３、３１６    第１位置規制突起
１１４、３２６    第２位置規制突起
１１５    第１ねじ孔
１１６    第１凹陥部
１２０    第２シャーシ部材
１２１、３２４    第３結合部
１２２、３２５    第４結合部
１２３    第３位置規制突起
１２４    第４位置規制突起
１３０    第３シャーシ部材
１３１、３１１    第１本体部
１３２、３１２    第２本体部
１３３、３１３    第３本体部
１３４    第５結合部
１３５    第６結合部
１３６、３１７    第１位置規制ホール
１３７、３２７    第２位置規制ホール
１３８    第１貫通孔
１３９    第１突出部
１４０    第４シャーシ部材
１４１、３２１    第４本体部
１４２、３２２    第５本体部
１４３、３２３    第６本体部
１４４    第７結合部
１４５    第８結合部
１４７    第４位置規制ホール
２１１    第９結合部
２１２    第２貫通孔
２３４    第１０結合部
２３５    第２ねじ孔
４００    バックライトアセンブリー
４１０    ランプユニット
４１２    ランプ
４１４    ランプ反射板
４２０    光学部材
４２２    導光板
４２４    反射シート
４２６    光学シート
４３０    収納容器
４４０    固定部材
５００    ディスプレイユニット
５１０    液晶表示パネル
５１２    ＴＦＴ基板
５１４    カラーフィルター基板
５２０    データ印刷回路基板
５３０    ゲート印刷回路基板
５４０    ＴＣＰ
５５０    ゲートＴＣＰ
１０００    液晶表示装置
【図１】
2005196210.tif 000003
【図２】
2005196210.tif 000004
【図３】
2005196210.tif 000005
【図４】
2005196210.tif 000006
【図５】
2005196210.tif 000007
【図６】
2005196210.tif 000008
【図７】
2005196210.tif 000009
【図８】
2005196210.tif 000010